(57)【要約】      （修正有）【課題】粉塵を掃除する必要がないスキャン装置を提供する。【解決手段】スキャン装置１００は、プラットフォームタイプスキャンガラス４０及び接触式スキャンモジュール５０を備える。接触式スキャンモジュールはプラットフォームタイプスキャンガラスの上方に間隔を空けて設置され、プラットフォームタイプスキャンガラス及び接触式スキャンモジュールが組み合わせられることにより用紙２００を通過させるためのスキャン通路２０が形成される。接触式スキャンモジュールの下表面には保護ガラス５２が設置され、接触式スキャンモジュールは保護ガラスの中間位置にスキャン領域５７を有し、保護ガラスの下表面はスキャン領域の後方に面取り５２１が設けられる。本考案に係るスキャン装置はスキャン中に、用紙上の粉塵３００が保護ガラスの面取り箇所に収集され、用紙が継続的に後に向けて供給されると、保護ガラスの面取り箇所に集積された粉塵が一緒に排出され、これにより粉塵がスキャン領域内に集積されなくなる。【選択図】図４
0003215541.tif 000002
【実用新案登録請求の範囲】
【請求項１】
用紙に対するスキャンを行うためのスキャン装置であって、
プラットフォームタイプスキャンガラスと、
プラットフォームタイプスキャンガラスの上方に間隔を空けて設置され、前記プラットフォームタイプスキャンガラスと組み合わせられることにより用紙を通過させるスキャン通路が形成され、下表面には保護ガラスが設置され、保護ガラスの中間位置にスキャン領域を有し、前記保護ガラスの下表面はスキャン領域の後方に面取りが設けられる接触式スキャンモジュールと、
を備えることを特徴とするスキャン装置。
【請求項２】
前記接触式スキャンモジュールは横方向に延伸される中空の固定用ブラケットを更に備え、前記保護ガラスは固定用ブラケットに固設され、保護ガラスの下表面及び固定用ブラケットの下表面が水平となることを特徴とする請求項１に記載のスキャン装置。
【請求項３】
前記接触式スキャンモジュールは回路基板と、複数の発光器と、複数のレンズと、複数の光電センサーとを更に備え、前記各レンズ及び各光電センサーは発光器にそれぞれ対応し、前記複数の発光器は固定用ブラケット内に横方向に配列されるように設置され、光線をそれぞれ発射させると共に保護ガラスを透過させてスキャン通路を通過している用紙まで発射させるために用いられ、前記用紙により各光線が反射されると共に保護ガラス及び対応するレンズを透過し、前記回路基板は固定用ブラケットの上表面に設置され、前記複数の光電センサーは回路基板に設置され、前記複数の光電センサーは対応するレンズを透過した光線の受光にそれぞれ用いられ、前記スキャン領域は保護ガラスに位置し、光線が用紙まで発射されると共に用紙によりレンズまで反射されるための領域であることを特徴とする請求項２に記載のスキャン装置。
【考案の詳細な説明】
【技術分野】
【０００１】
本考案は、事務機器に関し、更に詳しくは、スキャン装置に関する。
【背景技術】
【０００２】
従来のスキャン装置１００’は、プラットフォームタイプスキャンガラス１０’及び接触式スキャンモジュール２０’を備える（図１及び図２参照）。前記接触式スキャンモジュール２０’はプラットフォームタイプスキャンガラス１０’の上方に間隔を空けて設置され、前記プラットフォームタイプスキャンガラス１０’及び接触式スキャンモジュール２０’の間が組み合わせられることにより用紙２００’を通過させるためのスキャン通路３０’が形成される。なお、前記接触式スキャンモジュール２０’は横方向に延伸される中空の固定用ブラケット２１’と、保護ガラス２２’と、回路基板２３’と、複数の発光器２４’と、複数のレンズ２５’と、複数の光電センサー２６’とを含む。前記各レンズ２５’及び各光電センサー２６’は発光器２４’にそれぞれ対応させる。前記保護ガラス２２’は矩形板状を呈し、保護ガラス２２’は固定用ブラケット２１’の下表面に固設され、保護ガラス２２’の下表面及び固定用ブラケット２１’の下表面が水平となる。前記複数の発光器２４’は固定用ブラケット２１’内に横方向に配列されるように設置され、前記複数のレンズ２５’はそれぞれ固定用ブラケット２１’内に横方向に配列されるように設置される。前記複数の発光器２４’は光線をそれぞれ発射させると共に保護ガラス２２’させてスキャン通路３０’を通過させる用紙２００’まで発射させるために用いられ、前記用紙２００’により各光線が反射されると共に保護ガラス２２’及び対応させるレンズ２５’を透過させる。前記回路基板２３’は固定用ブラケット２１’の上表面に設置され、前記複数の光電センサー２６’は回路基板２３’に設置され、前記複数の光電センサー２６’はレンズ２５’を透過させる光線を受光させるために用いられる。接触式スキャンモジュール２０’は保護ガラス２２’の中間位置にスキャン領域２７’を有し、前記スキャン領域２７’は発射された光線が至る用紙２００’までの領域及び用紙２００’により反射された光線が至るレンズ２５’の保護ガラス２２’までの領域とし、前記用紙２００’がスキャン領域２７’を通過させる際に前記用紙２００’のスキャンが達成される。
【考案の概要】
【考案が解決しようとする課題】
【０００３】
しかしながら、従来のスキャン装置１００’は用紙２００’のスキャン時に用紙２００’と保護ガラス３２’の下表面とが接触し、用紙２００’のトナー及び紙屑等の一部の粉塵３００’が保護ガラス３２’上のスキャン領域３７’に停留し、一定量の用紙２００’がスキャンされた後にはスキャン領域３７’上の粉塵３００’が徐々に増加し、スキャン画像が汚れたり、縦線が入る等の不良が発生した。このため、保護ガラス上の粉塵３００’を定期的に掃除してスキャンの質と量を確保する必要があった。
【０００４】
また、従来の他のスキャン装置（図示せず）にはブラシ伝動セットが内設されている。前記ブラシ伝動セットはブラシと、モーターと、歯車等の構造とを有し、定期的にモーターがブラシを駆動させて自動清掃を行う。前記スキャン装置のコストは高く、大きな空間が必要であり、サイズも大きかった。前記ブラシ伝動セットを使用して粉塵を掃除する際には大きな騒音が発生した。
【０００５】
そこで、本考案者は上記の欠点が改善可能と考え、即ち、何枚もの用紙がスキャンされた後にも粉塵の掃除が必要がなく、且つ依然として好ましいスキャンの質と量を維持させ、製造コストも低く、サイズも騒音も小さいスキャン装置を提供する。
【０００６】
本考案は、以上の従来技術の課題を解決する為になされたものである。即ち、本考案の目的は、スキャン装置を提供する。換言すれば、従来技術に存在する欠陥及び不足に対して、何枚もの用紙をスキャンした後にも粉塵掃除が不要であり、且つ依然として高いスキャンの質と量を維持させ、製造コストも低く、サイズ及び騒音も小さいスキャン装置を提供する。
【課題を解決するための手段】
【０００７】
上述した課題を解決し、目的を達成するために、本考案に係るスキャン装置は、用紙に対するスキャンを行うためのスキャン装置であって、プラットフォームタイプスキャンガラス及び接触式スキャンモジュールを備える。前記接触式スキャンモジュールはプラットフォームタイプスキャンガラスの上方に間隔を空けて設置され、前記プラットフォームタイプスキャンガラス及び接触式スキャンモジュールが組み合わせられることにより用紙を通過させるためのスキャン通路が形成される。前記接触式スキャンモジュールの下表面には保護ガラスが設置され、接触式スキャンモジュールは保護ガラスの中間位置にスキャン領域を有し、前記保護ガラスの下表面はスキャン領域の後方に面取りが設けられる。
【考案の効果】
【０００８】
以上のとおり、本考案に係るスキャン装置は、保護ガラスの下表面にはスキャン領域の後方に面取りが設けられるため、スキャン中に用紙上のトナー及び紙屑等の粉塵が保護ガラスの面取り箇所に収集され、用紙が継続的に後に向けて供給される際に保護ガラス面取り箇所に集積された粉塵も一緒に排出され、これにより粉塵が保護ガラスのスキャン領域内に集積されなくなる。本考案に係るスキャン装置は、何枚もの用紙がスキャンされた後にも粉塵掃除の必要がなく、且つ依然として好ましいスキャンの質と量を維持させる。また、前記スキャン装置にはブラシ伝動セットを設置させる必要がないため、製造コストが低く、サイズ及び騒音も小さい。
【図面の簡単な説明】
【０００９】
【図１】従来のスキャン装置を示す概略図である。
【図２】従来のスキャン装置によりスキャンを行う際の概略図である。
【図３】本考案の好ましい実施形態に係るスキャン装置を説明する概略図である。
【図４】図３に示す本考案のスキャン装置によりスキャンを行う際の概略図である。
【図５】図３に示す本考案のスキャン装置の接触式スキャンモジュールを示す斜視図である。
【考案を実施するための形態】
【００１０】
以下、図面を参照して本考案に係るスキャン装置の実施形態について説明する。なお、本考案は、以下に説明する実施形態に限定されるものではない。
【実施例】
【００１１】
以下、本考案の実施形態について、図面を参照しながら説明する。まず、図３及び図４に示すように、本考案のスキャン装置１００は、用紙２００に対するスキャンを行うためのスキャン装置であって、外部に連通される給紙通路１０が内設される。用紙２００が供給される方向が後方と定義され、用紙２００が供給される方向と反対の方向は前方と定義される。前記給紙通路１０の後方には給紙通路１０に連接されると共に用紙２００を通過させるためのスキャン通路２０が設けられ、スキャン通路２０の後方にはスキャン通路２０に連接される排紙通路３０が設けられる。前記スキャン装置１００はプラットフォームタイプスキャンガラス４０及び接触式スキャンモジュール５０を備える。
【００１２】
前記接触式スキャンモジュール５０はプラットフォームタイプスキャンガラス４０の上方に間隔を空けて設置され、前記スキャン通路２０はプラットフォームタイプスキャンガラス４０及び接触式スキャンモジュール５０が組み合わせられることにより形成される。
【００１３】
なお、図３及乃至図５に示すように、前記接触式スキャンモジュール５０は横方向に延伸される中空の固定用ブラケット５１と、保護ガラス５２と、回路基板５３と、複数の発光器５４と、複数のレンズ５５と、複数の光電センサー５６とを備える。前記各レンズ５５及び各光電センサー５６は発光器５４にそれぞれ対応する。前記保護ガラス５２は矩形板状を呈し、前記保護ガラス５２は接触式スキャンモジュール５０の固定用ブラケット５１の下表面に設置され、保護ガラス５２の下表面及び固定用ブラケット５１の下表面が水平となる。前記複数の発光器５４は固定用ブラケット５１内に横方向に配列されるように設置され、前記複数のレンズ５５はそれぞれ固定用ブラケット５１内に横方向に配列されるように設置され、前記複数の発光器５４は光線をそれぞれ発射させると共に保護ガラス５２を透過させてスキャン通路２０を通過している用紙２００まで発射させるために用いられ、前記用紙２００により各光線が反射されると共に保護ガラス５２及び対応するレンズ５５を透過する。前記回路基板５３は固定用ブラケット５１の上表面に設置され、前記複数の光電センサー５６は回路基板５３に設置され、前記複数の光電センサー５６は対応するレンズ５５を透過した光線を受光させるためにそれぞれ用いられる。前記接触式スキャンモジュール５０は保護ガラス５２の中間位置にスキャン領域５７を有し、前記スキャン領域５７は保護ガラス５２に位置し、光線が用紙２００まで発射されると共に用紙２００によりレンズ５５まで反射されるための領域であって、前記用紙２００がスキャン領域５７を通過する際に前記用紙２００のスキャンが達成される。前記保護ガラス５２の下表面はスキャン領域５７の後方に面取り５２１が設けられる。
【００１４】
図３及乃至図５を参照し、本考案に係るスキャン装置１００の動作原理を下述する。接触式スキャンモジュール５０の保護ガラス５２に設けられる面取り５２１により、用紙２００が給紙通路１０からスキャン通路２０に進入する際に、用紙２００と保護ガラス５２との接触位置が面取り５２１のエッジライン５２２の箇所（スキャン領域５７の後方に位置される）まで後に移動され、スキャン過程において、用紙２００上のトナー及び紙屑等の粉塵３００が保護ガラス５２の面取り５２１の箇所に収集される。用紙２００が継続的に後に向けて排紙通路３０まで供給されると、保護ガラス５２の面取り５２１の箇所に集積された粉塵３００も一緒に排出される。これにより、粉塵３００が保護ガラス５２のスキャン領域５７内に集積されず、スキャン装置１００が何枚もの用紙２００をスキャンさせた後にも粉塵３００の掃除が不要になり、且つ依然として好ましいスキャンの質と量を維持させる。
【００１５】
上述したように、本考案のスキャン装置１００は、保護ガラス５２の下表面のスキャン領域５７の後方に面取り５２１が設けられるため、スキャン過程において、用紙２００上のトナー及び紙屑等の粉塵３００が保護ガラス５２の面取り５２１の箇所に収集され、用紙２００が継続的に後に向けて排紙通路３０まで供給される際に、保護ガラス５２の面取り５２１の箇所に集積された粉塵３００も一緒に排出される。これにより、粉塵３００が保護ガラス５２のスキャン領域５７内に集積されず、スキャン装置１００により何枚もの用紙２００のスキャンが行われた後にも粉塵３００の掃除を行う必要がなくなり、且つ依然として好ましいスキャンの質と量を維持させる。また、前記スキャン装置１００にはブラシ伝動セットを設置させる必要がないため、製造コストが低く、サイズも騒音も小さい。
【符号の説明】
【００１６】
１００  スキャン装置
１０    給紙通路
２０    スキャン通路
３０    排紙通路
４０    プラットフォームタイプスキャンガラス
５０    接触式スキャンモジュール
５１    固定用ブラケット
５２    保護ガラス
５２１  面取り
５２２  エッジライン
５３    回路基板
５４    発光器
５５    レンズ
５６    光電センサー
５７    スキャン領域
２００  用紙
３００  粉塵
【図１】
0003215541.tif 000003
【図２】
0003215541.tif 000004
【図３】
0003215541.tif 000005
【図４】
0003215541.tif 000006
【図５】
0003215541.tif 000007